(57)【要約】【課題】  装置構成を大型化することなく、表示画面の大型化及び操作キー部の効率の良い収納を可能とし、多機能でありながら良好な使い勝手を実現する。【解決手段】  一主面部上の一端側に操作ダイヤル部５及び操作キー部６を備えた本体筐体部１に対してスライド可能に支持された副筐体部２は、本体筐体部１の他端側にスライドされたときには、操作ダイヤル部５及び操作キー部６の全体を露出させ、本体筐体部１の一端側にスライドされたときには、操作ダイヤル部５及び操作キー部６の一部を露出させる。【選択図】  図３
2005117164.tif 000002
【特許請求の範囲】
【請求項１】
一主面部上の一端側に操作ダイヤル部及び操作キー部を備えた本体筐体部と、
上記本体筐体部の一主面部上において、この本体筐体部に対して移動操作可能に支持され、上記本体筐体部に対向する側の反対側の主面部上に表示画面部が設けられた副筐体部とを備え、
上記副筐体部は、上記操作ダイヤル部及び上記操作キー部の全体を露出させる第１の位置と、上記操作ダイヤル部及び上記操作キー部の一部のみを露出させる第２の位置とに亘って移動可能となされている
ことを特徴とする携帯電話端末。
【請求項２】
請求項１記載の携帯電話端末であって、
上記操作キー部は、上記操作ダイヤル部の周囲に配置された操作キーからなること
を特徴とする携帯電話端末。
【請求項３】
請求項２記載の携帯電話端末であって、
上記操作ダイヤル部の周囲に配置された操作キーは、少なくともテンキーを含む操作キーであること
を特徴とする携帯電話端末。
【発明の詳細な説明】
【技術分野】
【０００１】
本発明は、無線送受信によってデータの送受信を行う携帯電話端末に関する。
【背景技術】
【０００２】
従来、無線送受信によって音声データ等の送受信を行う携帯電話端末は、マイクロホン部を有する送話部と、スピーカ部を有する受話部と、テンキーやオンフックキー、オフフックキーを有する操作部と、液晶表示装置からなる表示画面部とを備えて構成されている。
【０００３】
この携帯電話端末においては、操作キー部を用いて入力された通話先の電話番号等が表示画面部により表示されるので、ユーザは、この画面表示部における表示に基づいて、操作キー部による情報の入力を確実に行うことができる。また、この携帯電話端末においては、電話の着信があったときには、発呼元の電話番号等が表示画面部により表示されるので、ユーザは、電話に応答（オフフック）する前に、電話の相手方についての情報を知ることができる。
【０００４】
そして、このような携帯電話端末においては、操作キー部を用いて文字データを入力し、この文字データを電話回線を介して送信するいわゆるメール送信や、電話回線を通じて送られた文字データを受信し、この文字データを表示画面部により表示するいわゆるメール受信が行えるように構成されたものが提案されている。
【０００５】
このようなメール送受信の機能を有する携帯電話端末においては、文字データの入力の容易化のため、また、受信したメールの表示を良好に行うために、表示画面部として、より大きな画面であるものを備えることが望ましい。
【０００６】
このようにして表示画面部が大きくなると、装置構成が大型化してしまう。しかし、携帯電話端末において、良好な携帯性を維持するためには、装置構成を大型化することは好ましくない。
【０００７】
そのため、従来の携帯電話端末においては、表示画面部を大型化しつつも、装置構成が大型化しないようにするため、例えば、公開特許公報（特開２００３−１７９６７８公報：特許文献）に記載されているように、操作キー部と表示画面部とをそれぞれ別個の筐体上に設けておき、これら各筐体を互いにスライド可能に取り付けて構成したものが提案されている。
【０００８】
このような携帯電話端末においては、非使用時においては、操作キー部が設けられた筐体と表示画面部が設けられた筐体とを重ねた状態とし、表示画面部が設けられた筐体によって操作キー部が覆われる状態とすることにより、装置構成が小型化となり、良好な携帯性を確保することができる。そして、この携帯電話端末においては、使用時においては、操作キー部が設けられた筐体と表示画面部が設けられた筐体とを互いにスライドさせ、操作キー部及び表示画面部を並列的にそれぞれ外方側に露出された状態とすることにより、良好な操作性を実現することができる。
【特許文献１】特開２００３−１７９６７８公報（第６頁〜第１２頁：図２）
【発明の開示】
【発明が解決しようとする課題】
【０００９】
ところで、上述のような携帯電話端末においては、表示画面部が設けられた筐体にも、一部の操作キーを設ける必要があった。これは、表示画面部が設けられた筐体に操作キーを全く設けないとすると、操作キー部が設けられた筐体と表示画面部が設けられた筐体とを重ねて操作キー部を覆った状態において電話の着信があったときには、これら筐体を互いにスライドさせて操作キー部を外部に露出させなければならず、着信した電話に迅速に応答することができない虞れがあるためである。
【００１０】
したがって、このような携帯電話端末においては、筐体の主面部の全面を表示画面部とするような、表示画面部の十分な大型化が困難であった。
【００１１】
そこで、本発明は、上述の実情に鑑みて提案されるものであって、装置構成を大型化することなく、表示画面の大型化及び操作キー部の効率の良い収納を可能とし、多機能で使い勝手の良い携帯電話端末を提供しようとするものである。
【課題を解決するための手段】
【００１２】
上述の課題を解決するため、本発明に係る携帯電話端末は、一主面部上の一端側に操作ダイヤル部及び操作キー部を備えた本体筐体部と、本体筐体部の一主面部上においてこの本体筐体部に対して移動操作可能に支持され本体筐体部に対向する側の反対側の主面部上に表示画面部が設けられた副筐体部とを備え、副筐体部は、操作ダイヤル部及び操作キー部の全体を露出させる第１の位置と、操作ダイヤル部及び操作キー部の一部のみを露出させる第２の位置とに亘って移動可能となされていることを特徴とするものである。
【００１３】
この携帯電話端末においては、副筐体部を第２の位置としたときに、操作ダイヤル部及び操作キー部の一部のみが露出されるので、この露出された操作ダイヤル部及び操作キー部の一部は、副筐体部を移動操作することなく、操作することができる。
【発明の効果】
【００１４】
本発明に係る携帯電話端末においては、副筐体部を第２の位置としたときに、操作ダイヤル部及び操作キー部の一部が露出され、これら操作ダイヤル部及び操作キー部の一部を操作することができるので、副筐体部を移動操作することなく、着信した電話に対する応答などの操作を迅速に行うことができる。
【００１５】
したがって、この携帯電話端末においては、副筐体部に操作キーを設ける必要がなく、この複筐体部の主面部の全面を表示画面部とするような、表示画面部の十分な大型化が可能である。
【００１６】
すなわち、本発明は、装置構成を大型化することなく、表示画面の大型化及び操作キー部の効率の良い収納を可能とし、多機能で使い勝手の良い携帯電話端末を提供することができるものである。
【発明を実施するための最良の形態】
【００１７】
以下、本発明の実施の形態を図面を参照しながら説明する。
【００１８】
〔第１の実施の形態の構成〕
本発明に係る携帯電話端末は、図１に示すように、本体筐体部１と、副筐体部２とを有して構成されている。副筐体部２は、本体筐体部１の一主面部上において、この本体筐体部１に対して、図１中矢印Ａで示すように、スライド可能に支持されている。本体筐体部１は、この携帯電話端末の動作を制御する制御部を内蔵している。副筐体部２の本体筐体部１に対向する側の反対側の主面部上には、表示画面部３が設けられている。
【００１９】
表示画面部３は、例えば、液晶表示装置により構成されており、制御部に接続されており、この制御部の制御にしたがって所定の表示を行う。また、この携帯電話端末は、テレビジョンチューナを内蔵しており、このテレビジョンチューナが動作しているときには、表示画面部３には、このテレビジョンチューナによって受信された受信画像が表示される。
【００２０】
本体筐体部１は、図２に示すように、一主面部上の一端側に操作部４を備えている。この操作部４は、図３に示すように、操作ダイヤル部５及び操作キー部６を有して構成されている。
【００２１】
操作ダイヤル部５は、回転操作可能な回転ダイヤル５ａを有して構成されている。この回転ダイヤル５ａが回転操作されると、回転角度を示す信号が制御部に入力される。また、この操作ダイヤル部５は、回転ダイヤル５ａの中心側に、ジョグキー５ｂを備えている。このジョグキー５ｂは、円盤状に形成され、中心部分において支持されている。このジョグキー５ｂは、４方向に対する傾斜及び中心部分を押込む操作が可能となっている。すなわち、このジョグキー５ｂにおいては、４方向のうちのいずれかの方向に傾斜させること及び中心部分を押込むことにより、５種類の信号を制御部に入力することができる。
【００２２】
また、操作キー部６は、制御部に接続された複数の操作キーを有して構成されている。この操作キー部６をなす操作キーが押圧操作されると、操作された操作キーに応じた信号が制御部に入力される。この操作キー部６の操作キーは、操作ダイヤル部５の周囲に円弧状に配列されて配置されている。また、この操作キー部６の操作キーは、少なくともテンキーを含む操作キーとなっている。
【００２３】
そして、本体筐体部１には、図１に示すように、一端側部分にマイクロホン部（送話部）７が設けられている。また、副筐体部２の他端側部分には、スピーカ部（受話部）８が設けられている。これらマイクロホン部７及びスピーカ部８は、それぞれ制御部に接続されており、電話機としての送話部及び受話部となる。
【００２４】
さらに、副筐体部２の他端側には、図２に示すように、カメラ部９が設けられている。このカメラ部９は、撮像レンズ９ａと、この撮像レンズが形成する像を撮像する固体撮像素子（ＣＣＤ）とを有して構成されている。このカメラ部９は、副筐体部２の他端側において、一対の支持扞９ａ，９ａによって回転可能に支持されている。また、これら支持扞９ａ，９ａは、副筐体部２に対して進退可能となされており、カメラ部９を副筐体部２内に収納できるようになされている。
【００２５】
そして、副筐体部２は、スライド支持機構１０によって、本体筐体部１の一主面部上においてこの本体筐体部１に対してスライド操作可能に支持されている。この副筐体部２は、本体筐体部１の図２中矢印Ａで示す他端側にスライドされて操作ダイヤル部５及び操作キー部６の全体を露出させる第１の位置である開位置と、図１中矢印Ｂで示す一端側にスライドされて操作ダイヤル部５及び操作キー部６の一部のみを露出させる第２の位置である閉位置とに亘ってスライド可能となされている。
【００２６】
この携帯電話端末においては、副筐体部２が閉位置となっている場合であっても、電話の着信があった場合には、副筐体部２を閉位置としたままで、操作ダイヤル部５及び操作キー部６の外方に露出された一部を操作することによって、応答することが可能である。
【００２７】
この携帯電話端末において、図４に示すように、制御部１１は、制御ライン１２に接続されている。そして、この制御ライン１２には、通信回路１３、表示画面部３、操作部４、撮像制御部１４及びメモリ１５が接続されている。この制御ライン１２に接続されている各ブロックは、制御部１１によって制御されて動作する。
【００２８】
通信回路１３は、アンテナ１６を介して、電話回線に接続された他の通信端末との間で無線データ通信を行う。また、撮像制御部１４は、カメラ部９に接続されており、このカメラ部９を制御するとともに、このカメラ部９から出力される撮像データを受信する。
【００２９】
そして、通信回路１３、表示画面部３、メモリ１５及び撮像制御部１４は、データライン１７に接続されている。さらに、このデータライン１７には、スピーカ部８、マイクロホン部７及びテレビジョンチューナ部１８が接続されている。このデータライン１７に接続されている各ブロックは、互いにデータの授受を行うことができる。
【００３０】
〔第１の実施の形態の動作〕
この携帯電話端末において、制御部１１は、以下のような、電話モード、メールモード、ウェブモード、カメラモード及びテレビモードのいずれかへの動作モードの切換えを行う。
【００３１】
この携帯電話端末において、電話モードにおいては、制御部１１は、操作部４に対する入力操作に応じて通信回路１３を制御し、電話の発呼、または、着信した電話に対する応答を行う。また、制御部１１は、マイクロホン部７から入力された音声データを通信回路１３に送って送信させるとともに、通信回路１３により受信された音声データをスピーカ部８から出力させる。
【００３２】
この電話モードにおいて、操作部４は、副筐体部２が開位置にある場合においては、操作キー部６がテンキー、＃キー及び＊キーとして使用される。また、副筐体部２が閉位置にある場合に、電話の着信があった場合には、操作ダイヤル部５のジョグキー５ｂの外方に露出した部分及び操作キー部６のうちの外方に露出した一部の操作キーは、これらのいずれかが操作された場合に電話に応答するキーとして使用される。
【００３３】
また、この携帯電話端末において、副筐体部２が閉位置にある場合において、例えば、操作キー部６のうちの外方に露出した一部の操作キーによって動作モードの選択を行い、電話モードを選択した場合には、回転ダイヤル５ａの外方に露出した部分によってこの携帯電話端末内に記憶された電話番号のリスト（電話帳）の検索を行い、ジョグキー５ｂの外方に露出した部分によってオフフック操作（電話帳において選択された電話番号に対する発呼）を行うことができる。
【００３４】
そして、この携帯電話端末において、メールモードにおいては、制御部１１は、操作部４に対する入力操作に応じて通信回路１３を制御し、メールの発信、または、メールの受信を行う。すなわち、このメールモードにおいては、操作部４から入力された文字データがメモリ１５に格納されるとともに通信回路１３に送られて送信され、通信回路１３により受信された文字データがメモリ１５に格納されるとともに表示画面部３により表示される。
【００３５】
なお、このメールモードにおいては、文字データとともに、メモリ１５に格納された映像データその他のデータを添付して通信回路１３により送信することができ、また、通信回路１３により文字データに添付された映像データその他のデータが受信された場合には、これらのデータがメモリ１５に格納されるとともに表示画面部３により表示される。
【００３６】
このメールモードにおいて、操作部４は、副筐体部２が開位置にある場合においては、操作キー部６がアルファベットキー及びカナキー兼用のテンキー、＃キー及び＊キーとして使用される。
【００３７】
また、この携帯電話端末において、副筐体部２が閉位置にある場合において、例えば、操作キー部６のうちの外方に露出した一部の操作キーによって動作モードの選択を行い、メールモードを選択した場合には、回転ダイヤル５ａの外方に露出した部分によってこの携帯電話端末内に記憶された受信済みのメールのリストの検索を行い、ジョグキー５ｂの外方に露出した部分によって、メールのリストから選択されたメールの内容の表示を行うことができる。
【００３８】
この携帯電話端末において、ウェブモードにおいては、制御部１１は、操作部４に対する入力操作に応じて通信回路１３を制御し、インターネットサーバへのアクセスを行う。すなわち、このウェブモードにおいては、操作部４から入力された文字データ（アクセスデータ）が通信回路１３に送られて送信され、通信回路１３によりインターネットサーバから受信されたデータがメモリ１５に格納されるとともに表示画面部３により表示される。
【００３９】
このウェブモードにおいて、操作部４は、副筐体部２が開位置にある場合においては、操作キー部６がアルファベットキー及びカナキー兼用のテンキー、＃キー及び＊キーとして使用される。また、副筐体部２が閉位置にある場合には、操作部４は、操作ダイヤル部５のうちの外方に露出した回転ダイヤル５ａ及びジョグキー５ｂの一部と、操作キー部６の外方に露出した一部の操作キーによって、表示画面部３上に表示されるカーソルの移動、表示画像のスクロールや、表示画面部３上に表示されるメニュー画面における選択操作を行うことができる。
【００４０】
すなわち、この携帯電話端末において、副筐体部２が閉位置にある場合において、例えば、操作キー部６のうちの外方に露出した一部の操作キーによって動作モードの選択を行い、ウェブモードを選択した場合には、回転ダイヤル５ａの外方に露出した部分によってこの携帯電話端末内に記憶されたＵＲＬアドレスのリストの検索を行い、ジョグキー５ｂの外方に露出した部分によって、ＵＲＬアドレスのリストにおいて選択されたＵＲＬアドレスに対するアクセスを行うことができる。そして、選択されたＵＲＬアドレスに対するアクセスがされた後は、回転ダイヤル５ａの外方に露出した部分によって画面のスクロールを行うことができ、ジョグキー５ｂの外方に露出した部分によって、メニュー画面におけるスイッチや画面上のリンクの選択を行うことができる。
【００４１】
そして、この携帯電話端末においては、カメラモードにおいては、操作部４に対する入力操作に応じて、制御部１１が映像制御部２０２を介してカメラ部９を制御し、カメラ部９により撮像された映像データのメモリ１５への格納、格納された映像データの読出し及び表示画面部３への表示が行われる。
【００４２】
このカメラモードにおいて、操作部４は、副筐体部２が閉位置にある場合においては、操作ダイヤル部５のうちの外方に露出した回転ダイヤル５ａ及びジョグキー５ｂの一部と、操作キー部６の外方に露出した一部の操作キーによって、撮影範囲を変化させるズーミング操作や、撮影を実行するレリーズ操作を行うことができる。また、副筐体部２が開位置にある場合において、操作部４は、操作キー部６がアルファベットキー及びカナキー兼用のテンキー、＃キー及び＊キーとして使用される。
【００４３】
すなわち、この携帯電話端末において、副筐体部２が閉位置にある場合において、例えば、操作キー部６のうちの外方に露出した一部の操作キーによって動作モードの選択を行い、カメラモード（撮影モード）を選択した場合には、回転ダイヤル５ａの外方に露出した部分によってズーミング操作を行い、ジョグキー５ｂの外方に露出した部分によってレリーズ操作を行うことができる。
【００４４】
また、この携帯電話端末において、副筐体部２が閉位置にある場合において、例えば、操作キー部６のうちの外方に露出した一部の操作キーによって動作モードの選択を行い、カメラモード（再生モード）を選択した場合には、回転ダイヤル５ａの外方に露出した部分によってこの携帯電話端末内に記憶された撮影済みの画像のリストの検索を行い、ジョグキー５ｂの外方に露出した部分によって、画像のリストから選択された画像の表示を行うことができる。
【００４５】
さらに、この携帯電話端末においては、テレビモードにおいては、操作部４に対する入力操作に応じて、制御部１１がテレビジョンチューナ部１８を制御し、このテレビジョンチューナ部１８から出力される映像データの表示画面部３への表示及び音声データのスピーカ部８による出力が行われる。
【００４６】
このテレビモードにおいて、操作部４は、副筐体部２が閉位置にある場合においては、操作ダイヤル部５のうちの外方に露出した回転ダイヤル５ａ及びジョグキー５ｂの一部と、操作キー部６の外方に露出した一部の操作キーによって、選局操作や、再生音量を調整するボリューム調整を行うことができる。また、副筐体部２が開位置にある場合において、操作部４は、操作キー部６がアルファベットキー及びカナキー兼用のテンキー、＃キー及び＊キーとして使用される。
【００４７】
すなわち、この携帯電話端末において、副筐体部２が閉位置にある場合において、例えば、操作キー部６のうちの外方に露出した一部の操作キーによって動作モードの選択を行い、テレビモードを選択した場合には、ジョグキー５ｂの外方に露出した部分によって、回転ダイヤル５ａの機能を、選局、ボリューム調整などのうちから選択し、回転ダイヤル５ａの外方に露出した部分によって、選択された機能に応じた調整（選局、ボリューム調整など）を行うことができる。
【００４８】
〔第１の実施の形態の効果〕
上述のように、この携帯電話端末においては、副筐体部２を閉位置としたままの状態で、操作ダイヤル部５のうちの外方に露出した回転ダイヤル５ａ及びジョグキー５ｂの一部と、操作キー部６の外方に露出した一部の操作キーによって、電話モードにおける着信した電話への応答、ウェブモードにおける表示画面のスクロールやメニュー画面上の選択操作、カメラモードにおけるズーミング操作やレリーズ操作、及び、テレビモードにおける選局操作や再生音量の調整を行うことができる。
【００４９】
したがって、この携帯電話端末においては、これらの操作を、副筐体部２を開位置に移動させることなく、迅速に行うことができる。
【００５０】
〔第２の実施の形態の構成〕
本発明に係る携帯電話端末は、図５に示すように、副筐体部２を、本体筐体部１の一主面部上において、この本体筐体部１に対して回転可能に支持して構成してもよい。この場合においても、本体筐体部１は、この携帯電話端末の動作を制御する制御部を内蔵している。また、副筐体部２の本体筐体部１に対向する側の反対側の主面部上には、表示画面部３が設けられる。
【００５１】
本体筐体部１は、一主面部上の一端側に操作部４を備えている。この操作部４は、上述の第１の実施の形態におけると同様に、操作ダイヤル部５及び操作キー部６を有して構成されている。マイクロホン部（送話部）７、スピーカ部（受話部）８及びカメラ部９は、上述の第１の実施の形態におけると同様に設けられている。
【００５２】
そして、副筐体部２は、回転支持機構１９によって、図５中矢印Ｂで示すように、本体筐体部１の一主面部上においてこの本体筐体部１に対して回転操作可能に支持されている。この副筐体部２は、図６に示すように、操作ダイヤル部５及び操作キー部６の全体を露出させる第１の位置である開位置と、図５に示すように、操作ダイヤル部５及び操作キー部６の一部のみを露出させる第２の位置である閉位置とに亘って回転可能となされている。
【００５３】
この携帯電話端末においては、副筐体部２が閉位置となっている場合であっても、電話の着信があった場合には、副筐体部２を閉位置としたままで、操作ダイヤル部５及び操作キー部６の外方に露出された一部を操作することによって、応答することが可能である。
【００５４】
この携帯電話端末において内蔵されている電子回路部の構成は、図４に示すように、上述の第１の実施の形態における構成と同様である。
【００５５】
〔第２の実施の形態の動作〕
この携帯電話端末が実行する動作は、上述の第１の実施の形態における動作と同様である。
【００５６】
〔第２の実施の形態の効果〕
この携帯電話端末においても、副筐体部２を閉位置としたままの状態で、操作ダイヤル部５のうちの外方に露出した回転ダイヤル５ａ及びジョグキー５ｂの一部と、操作キー部６の外方に露出した一部の操作キーによって、電話モードにおける着信した電話への応答、ウェブモードにおける表示画面のスクロールやメニュー画面上の選択操作、カメラモードにおけるズーミング操作やレリーズ操作、及び、テレビモードにおける選局操作や再生音量の調整を行うことができる。
【００５７】
したがって、この携帯電話端末においては、これらの操作を、副筐体部２を開位置に回転させることなく、迅速に行うことができる。
【図面の簡単な説明】
【００５８】
【図１】本発明に係る携帯電話端末の第１の実施の形態における構成（閉位置）を示す斜視図である。
【図２】上記携帯電話端末の第１の実施の形態における構成（開位置）を示す斜視図である。
【図３】上記携帯電話端末の第１の実施の形態における要部の構成を示す平面図である。
【図４】上記携帯電話端末の第１の実施の形態が備える回路部の構成を示すブロック図である。
【図５】本発明に係る携帯電話端末の第２の実施の形態における構成（閉位置）を示す斜視図である。
【図６】本発明に係る携帯電話端末の第２の実施の形態における構成（開位置）を示す斜視図である。
【符号の説明】
【００５９】
１  本体筐体部、２  副筐体部、３  表示画面部、４  操作部、５  操作ダイヤル部、６  操作キー部、７  マイクロホン部、８  スピーカ部、９  カメラ部、１０  スライド支持機構、１９  回転支持機構
【図１】
2005117164.tif 000003
【図２】
2005117164.tif 000004
【図３】
2005117164.tif 000005
【図４】
2005117164.tif 000006
【図５】
2005117164.tif 000007
【図６】
2005117164.tif 000008